(57)【要約】【課題】  ヒータユニットの取り付けられないテーブル等であっても当該テーブル等の下方を暖めることができるヒータユニットを提供する。【解決手段】  ヒータユニット本体１に内蔵されるヒータ１１の熱により生じた暖気を送風ファン１２によりヒータユニット本体１の下方に設けられた開口部１３から送り出す。脚部２によりヒータユニット本体１の開口部１３と地面とは離間されるため、開口部１３から送り出された熱は、開口部１３の下方を中心に周囲の空気を暖める。このような構成のヒータユニットをテーブル等の下に載置することにより、テーブルや机等の下方を暖めることができる。【選択図】          図１
2005337684.tif 000002
【特許請求の範囲】
【請求項１】
ヒータおよび送風ファンを、前記ヒータおよび前記送風ファンの側方に囲むように設けられた側面反射板と前記ヒータおよび前記送風ファンの上方に設けられた上面反射板とともに内蔵し、前記ヒータの熱で生じた暖気を前記側面反射板および前記上面反射板で規制しつつ、前記送風ファンにより送り出すべく設けられた下向きの開口部を有するヒータユニット本体と、
前記開口部が地面に対して離間すべく前記ヒータユニット本体から下方に延出した脚部とを具備し、
前記送風ファンは、当該送風ファンの回転軸から径方向に放射状に延びる複数のブレード基部と、前記複数のブレード基部のそれぞれに前記回転軸の軸心から径方向外側に所定の距離をおいて支持されるブレード部とを有し、
前記開口部は、前記送風ファンの回転により、前記ブレード部の回動軌道路において暖気を吹き出すドーナツ状の吹き出し領域と、当該吹き出し領域の内周円内側において暖気を吸い込む円形状の吸い込み領域とを有し、前記ヒータによる暖気を前記吹き出し領域から吹き出し、吹き出した暖気を前記吸い込み領域から吸い込むことで、前記ヒータユニット本体下方の領域において暖気を循環させることを特徴とするヒータユニット。
【請求項２】
前記脚部は、前記開口部と前記地面との距離を調節可能とすべく伸縮可能な高さ調節機構を有することを特徴とする請求項１記載のヒータユニット。
【請求項３】
前記ヒータユニット本体から下方へ離間するに従って当該ヒータユニット本体の中央部に対して広がっている傾斜面を有する土台部が前記脚部の地面当接部近傍に設けられることを特徴とする請求項１または２記載のヒータユニット。
【請求項４】
前記脚部および／または前記土台部は、樹脂であるとともに表面に樹脂めっきが施されることを特徴とする請求項３記載のヒータユニット。
【請求項５】
前記ヒータユニット本体は、上面に突起部を具備することを特徴とする請求項１〜４のいずれかに記載のヒータユニット。
【請求項６】
前記ヒータユニット本体は、上面に天板が取り付けられることを特徴とする請求項１〜５のいずれかに記載のヒータユニット。
【請求項７】
前記上面反射板に対する前記側面反射板の角度は、９０度以上９５度以下であることを特徴とする請求項１〜６のいずれかに記載のヒータユニット。
【請求項８】
前記送風ファンの回転数は、５００ｒｐｍ以上７００ｒｐｍ以下であることを特徴とする請求項１〜７のいずれかに記載のヒータユニット。
【請求項９】
前記開口部には、前記送風ファンの回転軸を略中心とする同心円形状の接触ガードが設けられることを特徴とする請求項１〜８のいずれかに記載のヒータユニット。
【請求項１０】
前記ヒータは、前記送風ファンの回転軸と略同心円周上に取り付けられたリング状のカーボンヒータであることを特徴とする請求項１〜９のいずれかに記載のヒータユニット。
【発明の詳細な説明】
【技術分野】
【０００１】
本発明は、ヒータユニットの取り付けられないテーブル等であっても適用可能なヒータユニットに関する。
【背景技術】
【０００２】
こたつに取り付けられたヒータユニットが公知である（例えば、特許文献１）。
【特許文献１】特開平７−５５２６２号公報
【発明の開示】
【発明が解決しようとする課題】
【０００３】
しかし、このような従来のヒータユニットにおいては、任意のテーブルや机等に取り付けることができないという問題があった。テーブルの下面にねじ穴を開け、取り付けねじで取り付けることも可能ではあるが、もともとヒータユニットが取り付けられるべく構成されていないテーブル等においては、強度的に不十分な場合もあり、最悪テーブルが割れてしまう場合も生じ得る。また、そのような加工を行うこと自体煩雑であるし、テーブル等に穴を開けたくないという場合も当然に生じ得る。
【０００４】
本発明は、かかる従来技術の問題点を解決するべくなされたもので、ヒータユニットの取り付けられないテーブル等であっても当該テーブル等の下方を暖めることができるヒータユニットを提供することを目的とする。
【課題を解決するための手段】
【０００５】
本発明に係るヒータユニットは、ヒータおよび送風ファンを、前記ヒータおよび前記送風ファンの側方に囲むように設けられた側面反射板と前記ヒータおよび前記送風ファンの上方に設けられた上面反射板とともに内蔵し、前記ヒータの熱により生じた暖気を前記側面反射板および前記上面反射板で規制しつつ、前記送風ファンにより送り出すべく設けられた下向きの開口部を有するヒータユニット本体と、前記開口部が地面に対して離間すべく前記ヒータユニット本体から下方に延出した脚部とを具備し、前記送風ファンは、当該送風ファンの回転軸から径方向に放射状に延びる複数のブレード基部と、前記複数のブレード基部のそれぞれに前記回転軸の軸心から径方向外側に所定の距離をおいて支持されるブレード部とを有し、前記開口部は、前記送風ファンの回転により、前記ブレード部の回動軌道路において暖気を吹き出すドーナツ状の吹き出し領域と、当該吹き出し領域の内周円内側において暖気を吸い込む円形状の吸い込み領域とが形成され、前記ヒータによる暖気を前記吹き出し領域から吹き出し、吹き出した暖気を前記吸い込み領域から吸い込むことで、前記ヒータユニット本体下方の領域において暖気を循環させるものである。
【０００６】
上記構成のヒータユニットは、ヒータユニット本体に内蔵されるヒータの熱により生じた暖気（暖められた空気）を送風ファンによりヒータユニット本体の下方に設けられた開口部から送り出す。脚部によりヒータユニット本体の開口部と地面とは離間されるため、開口部から送り出された暖気は、開口部の下方を中心に周囲の空気を暖める。
【０００７】
このように、ヒータユニットが自立することにより、テーブル等にヒータユニットを直接取り付けることなくテーブル等の下方を暖めることができる。したがって、ヒータユニットの取り付けられないテーブル等であっても当該テーブル等の下方を効果的に暖めることができる。また、複数のテーブル等について１つのヒータユニットで兼用することも可能である。
【０００８】
ここで、ヒータユニット本体内部と外部とは、上面反射板および側面反射板により空気の出入りが規制されるため、ヒータユニット本体１内部は、主に開口部を通じて外部との空気（暖気）の出入りが行われる。一方、送風ファンのブレード部は、送風ファンの回転軸の軸心から径方向外側に所定の距離をおいて支持されるため、送風ファンの回転により、ブレード部の回動軌道路がドーナツ状に形成される。こうして、送風ファンは、開口部におけるこの領域を吹き出し領域としてヒータにより生じた暖気を吹き出させる。このとき、上記の通り開口部以外からの暖気の出入りは規制されるため、ブレード部のない吹き出し領域の内周円内側は、吸い込み領域としてヒータユニット本体内部に暖気（外部の空気）を吸い込む。このように、送風ファンの回転によりヒータの熱により生じた暖気を開口部の中央付近の吸い込み領域から吸い込み、その径方向外側にある吹き出し領域から吹き出すことが繰り返され、ヒータユニット本体下方の領域において暖気を循環させることができる。
【０００９】
したがって、ヒータユニット本体下方の領域において暖気を循環させることができるヒータユニットをテーブル等の下に載置することにより、テーブルや机等の下方を効率よく暖めることができる。加えて、上記構成により、効率よく暖気を循環させることができるため、通常のテーブル等であってもこたつ掛け布団をかけるようにテーブル等の周囲を覆うことなく、テーブル等の下を暖かく維持することができる。
【００１０】
好ましくは、前記脚部は、前記開口部と前記地面との距離を調節可能とすべく伸縮可能な高さ調節機構を有するように構成される。
【００１１】
この場合、高さ調節機構によりテーブルの高さに合わせたヒータユニットの高さ調節が可能となる。したがって、１台で高さの異なる種々のテーブル等に対応可能とすることができる。
【００１２】
好ましくは、前記ヒータユニット本体から下方へ離間するに従って当該ヒータユニット本体の中央部に対して広がっている傾斜面を有する土台部が前記脚部の地面当接部近傍に設けられるように構成される。
【００１３】
この場合、ヒータユニット本体の開口部からの暖気が地面側に近い土台部の傾斜面で反射し、暖気を周囲に広げる。したがって、テーブル等（すなわちヒータユニット）に向かって座っているユーザの膝下から足元を効果的に暖めることができる。
【００１４】
好ましくは、前記脚部および／または前記土台部は、樹脂であるとともに表面に樹脂めっきが施されるように構成される。
【００１５】
この場合、脚部および／または土台部が樹脂で形成されることにより、ヒータユニット本体の開口部からの暖気が脚部や土台部に触れることで冷却されてしまうことを抑制することができる。また、表面に樹脂めっきを施すことにより、暖気が反射し易くより効果的に周囲を暖めることができる。
【００１６】
好ましくは、前記ヒータユニット本体は、上面に突起部を具備するように構成される。
【００１７】
この場合、ヒータユニット本体の上面に突起部を有することにより、例え、ヒータユニットとテーブル等の天板の下面とを接触させた場合であっても、突起部がテーブル等の天板の下面にまず接触するため、ヒータユニット本体の上面とテーブル等の天板の下面との間には、空隙が生じることとなる。
【００１８】
したがって、最大限テーブル等の天板にヒータが内蔵されるヒータユニット本体を接近させてもテーブル等の天板に熱が伝達することを防ぐことができる。
【００１９】
好ましくは、前記ヒータユニット本体は、上面に天板が取り付けられるように構成される。
【００２０】
この場合、ヒータユニット本体の上面に天板が取り付けられるため、ヒータユニット単独でテーブルとして使用可能である。したがって、ヒータ使用時はもちろんのこと、ヒータ不使用時であっても利用価値を持たせることができる。
【００２１】
好ましくは、前記上面反射板に対する前記側面反射板の角度は、９０度以上９５度以下であるように構成される。
【００２２】
この場合、側面反射板が上面反射板に対して略直角または直角に近い角度となっていることにより、開口部から外部へ送り出される暖気の側方への広がりを抑え、高さ方向（ヒータユニット本体から脚部方向）への広がりを促進させる。
【００２３】
したがって、こたつ机のようなこたつ掛け布団を取り付けないテーブル等に設置する場合でも、ヒータユニット本体からの暖気の発散をより防止することができ、テーブル等の天板下の空間を効果的に暖めることができる。
【００２４】
好ましくは、前記送風ファンの回転数は、５００ｒｐｍ以上７００ｒｐｍ以下であるように構成される。
【００２５】
この場合、送風ファンの回転数は、できる限り低回転に抑えられる。したがって、ヒータにおいて熱せられた暖気を開口部から好適に送り出すことができる一方で、送風ファンの風切り音を減少させ、作動音を小さくすることができる。このことは、特に、こたつ掛け布団（防音材として作用し得る）を取り付けないテーブル等においてより効果的である。
【００２６】
好ましくは、前記開口部には、前記送風ファンの回転軸を略中心とする同心円形状の接触ガードが設けられるように構成される。
【００２７】
この場合、送風ファンにより開口部から送り出される暖気は、送風ファンの回転により渦巻き状に送り出される。これに対し、開口部からヒータや送風ファンに手や足が直接触れないようにするための接触ガードを設けると、渦巻状の暖気の流れを阻害する可能性が生じ得る。そこで、開口部に取り付ける接触ガードを送風ファンの回転軸を略中心とする同心円形状とすることで、接触ガードに触れる送風ファンに送り出される暖気の抵抗を低減し、風量を確保するとともに、暖気が接触ガードに触れることによる温度低下および風切り音の低下を図ることができる。
【００２８】
好ましくは、前記ヒータは、前記送風ファンの回転軸と略同心円周上に取り付けられたリング状のカーボンヒータであるように構成される。
【００２９】
この場合、発熱の立ち上がりが早いカーボン管を用いたカーボンヒータにより、すぐに周囲を暖めることができるとともに、遠赤外線効果により体の芯から暖めることができる。また、送風ファンの回転軸と略同心円周上のリング形状であることにより、送風ファンのブレード部分に常にヒータが来るように配置することができ、送風ファンの回転によりヒータで熱せられた暖気を、より効率的に開口部から送り出すことができる。
【発明の効果】
【００３０】
本発明に係るヒータユニットによれば、ヒータユニットが自立することにより、テーブル等にヒータユニットを直接取り付けることなくテーブル等の下方を暖めることができる。したがって、ヒータユニットの取り付けられないテーブル等であっても当該テーブル等の下方を効果的に暖めることができる。また、複数のテーブル等について１つのヒータユニットで兼用することも可能である。また、ヒータユニット本体下方の領域において暖気を循環させることができるヒータユニットをテーブル等の下に載置することにより、テーブルや机等の下方を効率よく暖めることができる。加えて、上記構成により、効率よく暖気を循環させることができるため、通常のテーブル等であってもこたつ掛け布団をかけるようにテーブル等の周囲を覆うことなく、テーブル等の下を暖かく維持することができる。
【発明を実施するための最良の形態】
【００３１】
以下、添付図面を参照しつつ、本発明を実施するための最良の形態について説明する。図１は本発明の一実施形態に係るヒータユニットを示す側方部分断面図である。また、図２は図１のヒータユニットにおけるヒータユニット本体を下側から見た概略部分切り欠き図である。
【００３２】
本実施形態に係るヒータユニットは、図１および図２に示すように、ヒータ１１および送風ファン１２を、前記ヒータ１１および前記送風ファン１２の側方に囲むように設けられた側面反射板１７と前記ヒータ１１および前記送風ファン１２の上方に設けられた上面反射板１８とともに内蔵し、前記ヒータ１１の熱で生じた暖気を前記側面反射板１７および前記上面反射板１８とで規制しつつ、前記送風ファン１２により送り出すべく設けられた下向きの開口部１３を有するヒータユニット本体１と、前記開口部１３が地面に対して離間すべく前記ヒータユニット本体１から下方に延出した脚部２とを具備し、前記送風ファン１２は、当該送風ファン１２の回転軸１４から径方向に放射状に延びる複数のブレード基部１２１と、前記複数のブレード基部１２１のそれぞれに前記回転軸１４の軸心から径方向外側に所定の距離をおいて支持されるブレード部１２２とを有し、前記開口部１３は、前記送風ファン１２の回転により、前記ブレード部１２２の回動軌道路において暖気を吹き出すドーナツ状の吹き出し領域Ｐと、当該吹き出し領域Ｐの内周円内側において暖気を吸い込む円形状の吸い込み領域Ｑとが形成され、前記ヒータ１１による暖気を前記吹き出し領域Ｐから吹き出し、吹き出した暖気を前記吸い込み領域Ｑから吸い込むことで、前記ヒータユニット本体１下方の領域において暖気を循環させるものである。
【００３３】
本実施形態においては、前記送風ファン１２を回転軸１４を中心に回転させるモータ１５と、前記ヒータ１１および前記モータ１５に電力を供給する電源コード４を取り付け可能な電源コネクタ２０を有する。
【００３４】
上記構成のヒータユニットは、ヒータユニット本体１に内蔵されるヒータ１１の熱により生じた暖気（暖められた空気）を送風ファン１２によりヒータユニット本体１の下方に設けられた開口部１３から送り出す。脚部２によりヒータユニット本体１の開口部１３と地面とは離間されるため、開口部１３から送り出された暖気は、開口部１３の下方を中心に周囲の空気を暖める。図３は本実施形態のヒータユニットの使用状態図である。図３に示すように、上記構成のヒータユニットをテーブル５の下に載置することにより、テーブル５の下方を暖めることができる。
【００３５】
このように、ヒータユニットが自立することにより、テーブル５にヒータユニットを直接取り付けることなくテーブル５の下方を暖めることができる。したがって、ヒータユニットの取り付けられないテーブルや机等であっても当該テーブル等の下方を効果的に暖めることができる。また、複数のテーブル等について１つのヒータユニットで兼用することも可能である。
【００３６】
ここで、ヒータユニット本体１内部と外部とは、上面反射板１８および側面反射板１７により空気の出入りが規制されるため、ヒータユニット本体１内部は、主に開口部１３を通じて外部との空気（暖気）の出入りが行われる。一方、送風ファン１２のブレード部１２２は、送風ファン１２の回転軸１４の軸心から径方向外側に所定の距離をおいて支持されるため、送風ファン１２の回転により、ブレード部１２２の回動軌道路がドーナツ状に形成される。
【００３７】
こうして、送風ファン１２は、開口部１３におけるこの領域を吹き出し領域Ｐ（図２参照）としてヒータ１１により生じた暖気を吹き出させる。このとき、上記の通り開口部１３以外からの暖気の出入りは規制されるため、ブレード部１２２のない吹き出し領域の内周円内側は、吸い込み領域Ｑとしてヒータユニット本体１内部に暖気（外部の空気）を吸い込む。このように、送風ファン１２の回転によりヒータ１１の熱により生じた暖気を開口部１３の中央付近の吸い込み領域Ｑから吸い込み、その径方向外側にある吹き出し領域Ｐから吹き出すことが繰り返され、図３の矢印で示すように、ヒータユニット本体１下方の領域において暖気を循環させることができる。
【００３８】
したがって、ヒータユニット本体１下方の領域において暖気を循環させることができるヒータユニットを図３のようにテーブル５の下に載置することにより、テーブル５の下方を効率よく暖めることができる。加えて、上記構成により効率よく暖気を循環させることができるため、通常のテーブル５であってもこたつ掛け布団をかけるようにテーブル５の周囲を覆うことなく、テーブル５の下を暖かく維持することができる。
【００３９】
本実施形態において、前記上面反射板１８に対する前記側面反射板１７の角度は、９０度以上９５度以下であるように構成される。
【００４０】
この場合、ヒータ１１および送風ファン１２により生じた暖気は、上面反射板１８に対して９０度から９５度の角度の範囲で傾斜している側面反射板１７により規制され、開口部１３より外部へ（下方へ）送り出される。この側面反射板１７が上面反射板１８に対して略直角または直角に近い角度となっていることにより、開口部１３から外部へ送り出される暖気の側方への広がりを抑え、高さ方向（ヒータユニット本体１から脚部２方向）への広がりを促進させる。
【００４１】
したがって、こたつ机のようなこたつ掛け布団を取り付けないテーブル等に設置する場合でも、ヒータユニット本体１からの暖気の発散をより防止することができ、テーブル５等の天板下の空間を効果的に暖めることができる。
【００４２】
また、前記送風ファン１２の回転数は、５００ｒｐｍ以上７００ｒｐｍ以下であるように構成される。
【００４３】
この場合、送風ファン１２の回転数は、できる限り低回転に抑えられる。したがって、ヒータ１１において熱せられた暖気を開口部１３から好適に送り出すことができる一方で、送風ファン１２の風切り音を減少させ、作動音を小さくすることができる。このことは、特に、こたつ掛け布団を取り付けないテーブル等においてより効果的である。
【００４４】
また、前記開口部１３には、図２に示すように、前記送風ファン１２の回転軸１４を略中心とする同心円形状の接触ガード１９が設けられるように構成される。
【００４５】
送風ファン１２により開口部１３から送り出される暖気は、送風ファン１２の回転により渦巻き状に送り出される。これに対し、開口部１３からヒータ１１や送風ファン１２に手や足が直接触れないようにするための接触ガード１９を設けると、渦巻状の暖気の流れを阻害する可能性が生じ得る。そこで、図２に示すように、開口部１３に取り付ける接触ガード１９を送風ファン１２の回転軸１４を略中心とする同心円形状とすることで、送風ファン１２に送り出され、接触ガード１９に触れる暖気の抵抗を低減し、風量を確保するとともに、暖気が接触ガード１９に触れることによる温度低下および風切り音の低下を図ることができる。
【００４６】
さらに、風切り音の低下を図る構成として、送風ファン１２のブレード部１２２の翼端の形状を送風ファン１２の軌跡（円周）に沿った形状としてもよい。また、ブレード部１２２のブレード角を回転面（回転軸１４に対して垂直な平面）に対して約３８度から約４４度の範囲にすることが好ましく、約４１度にすることがより好ましい。これにより、送風ファン１２の回転により生じる風（暖気）を効率よく開口部１３の方向（下方）に送ることができ、その結果、風切り音を低減させることができる。
【００４７】
本実施形態において、前記ヒータ１１は、前記送風ファン１２の回転軸１４と略同心円周上に取り付けられたリング状のカーボンヒータであるように構成される。
【００４８】
この場合、ヒータ１１として発熱の立ち上がりが早いカーボン管を用いたカーボンヒータを用いることにより、周囲をすぐに暖めることができるとともに、遠赤外線効果により周囲の人を体の芯から暖めることができる。また、送風ファン１２の回転軸１４と略同心円周上のリング形状であることにより、送風ファン１２のブレード部１２２上方になるべくヒータ１１が来るように配置することができ（図１および図２参照）、送風ファン１２の回転によりヒータ１１で熱せられた暖気を、より効率的に開口部１３から送り出すことができる。
【００４９】
ここで、本実施形態における送風ファン１２は、アルミニウム等の金属板をプレス処理して形成される。アルミニウムのような軽い部材で形成することにより、風切り音の低下とともにヒータユニットの軽量化を図ることができる。また、アルミニウムのような放熱性のよい部材で形成することにより、ヒータ１１からの熱を効率よく開口部１３へと導くことができる。
【００５０】
本実施形態において、前記脚部２は、前記開口部２と前記地面との距離を調節可能とすべく伸縮可能な高さ調節機構を有するように構成される。本実施形態においてこれを実現するために、脚部２は、図１に示すように、ヒータユニット本体１の周囲に取り付けられた複数（３本）のパイプ部材２１と、当該パイプ部材２１を送風ファン１２の回転軸１４下近傍に集約して固定するジョイント部材２２と、当該ジョイント部材２２が上下方向に摺動可能なスライド部材２３と、前記ジョイント部材２２および前記スライド部材２３を所定高さで固定する締め付け部材２４と前記スライド部材２３（ひいてはヒータユニット全体）を地面に自立させるスタンド部材２５とを有している。このうち、ジョイント部材２２、スライド部材２３および締め付け部材２４が主に高さ調節機構として機能する。
【００５１】
この場合、まず、締め付け部材２４を緩め、ジョイント部材２２をスライド部材２３に対して摺動可能にする。ジョイント部材２２（すなわち、ヒータユニット本体１）を所定の位置まで摺動させた後、再び締め付け部材２４を締め付けることにより、ジョイント部材２２およびスライド部材２３を固定する。例えば、ヒータユニット本体１の上面がテーブル５の天板に当接させ（または接近させ）た状態（図３参照）で固定する。これにより、テーブル５の高さに合わせたヒータユニットの高さ調節が可能となる。したがって、１台で高さの異なる種々のテーブル等に対応可能とすることができる。
【００５２】
また、図４は図１のヒータユニットに土台部を取り付けた場合の使用状態図である。本実施形態においては、図４に示されるように、前記ヒータユニット本体１から下方へ離間するに従って当該ヒータユニット本体１の中央部である送風ファン１２の回転軸１４に対して広がっている傾斜面３１を有する土台部３が前記脚部２の地面当接部近傍であるスタンド部材２５上に取り付け可能に構成される。
【００５３】
このような土台部３を取り付けた場合、ヒータユニット本体１の開口部１３からの暖気が地面側に近い土台部３の傾斜面３１で反射し、暖気を周囲に広げる。したがって、テーブル５（すなわちヒータユニット）に向かって座っているユーザの膝下から足元を効果的に暖めることができる。
【００５４】
本実施形態においては、前記脚部２および前記土台部３は、樹脂であるとともに表面に樹脂めっきが施されるように構成される。
【００５５】
この場合、脚部２および土台部３が樹脂で形成されることにより、ヒータユニット本体１の開口部１３からの暖気が脚部２や土台部３に触れることで冷却されることを抑制することができる。また、表面に樹脂めっきを施すことにより、暖気が反射し易くより効果的に周囲を暖めることができる。また、ヒータユニットを軽量化することができるため、より容易に持ち運ぶことができる。
【００５６】
また、図５は図１のヒータユニットに天板を取り付けた場合の側方部分断面図である。本実施形態においては、図５に示すように、前記ヒータユニット本体１は、上面に天板４が取り付け可能に構成される。
【００５７】
この場合、ヒータユニット本体１の上面に天板４が取り付けられるため、ヒータユニット単独でテーブルとして使用可能である。したがって、ヒータ１１使用時はもちろんのこと、ヒータ１１不使用時であっても有効活用することができる。
【００５８】
なお、この天板４は、図２のようにテーブル５の天板下に用いる場合に取り外し可能としてもよいし、天板４が取り付けられた状態でテーブル５下に設置することとしてもよい。
【００５９】
さらに、本実施形態において前記ヒータユニット本体１は、上面に突起部１６を具備するように構成される。本実施形態においては、ヒータユニット本体１のパイプ部材２１取り付け部上側（都合３箇所）にヒータユニット本体１の上面と一体成型された突起部１６が設けられる。
【００６０】
この場合、ヒータユニット本体１の上面に突起部１６を有することにより、例え、図２や図３のようにヒータユニットとテーブル５の天板の下面とを接触させた場合であっても、突起部１６がテーブル５の天板の下面にまず接触するため、ヒータユニット本体１の上面とテーブル５の天板の下面との間には、空隙が生じることとなる。
【００６１】
したがって、最大限テーブル５の天板にヒータ１１が内蔵されるヒータユニット本体１を接近させてもテーブル５の天板に熱が伝達することを防ぐことができる。また、後述する図５において天板４を取り付ける場合でも同様の効果を得ることができる。なお、突起部１６の形状、個数、材質等は、種々適用可能である。
【００６２】
以上、本実施形態のヒータユニットにおいては、脚部２として高さ調整機能を有する１本足の脚部を例示したが、例えば、図１におけるパイプ部２１をヒータユニット本体１の取り付け部分からそのまま下方に伸ばしたような３本足を脚部２として構成する等、脚部２の本数、形状等は適宜適用可能である。
【００６３】
また、送風ファン１２をヒータ１１とは別に起動可能に構成してもよい。この場合、送風ファン１２のみ起動させることにより、ヒータユニット本体１下方の領域において冷風を循環させることができる。したがって、夏場においても本実施形態のヒータユニットを有効活用することができる。
【図面の簡単な説明】
【００６４】
【図１】本発明の一実施形態に係るヒータユニットを示す側方部分断面図である。
【図２】図１のヒータユニットにおけるヒータユニット本体を下側から見た概略部分切り欠き図である。
【図３】本実施形態のヒータユニットの使用状態図である。
【図４】図１のヒータユニットに土台部を取り付けた場合の使用状態図である。
【図５】図１のヒータユニットに天板を取り付けた場合の側方部分断面図である。
【符号の説明】
【００６５】
１  ヒータユニット本体
１１  ヒータ
１２  送風ファン
１２１  ブレード基部
１２２  ブレード部
１３  開口部
１４  回転軸
１６  突起部
１７  側方反射板
１８  上方反射板
１９  接触ガード
２  脚部
２２  ジョイント部材（高さ調節機構）
２３  スライド部材（高さ調節機構）
２４  締め付け部材（高さ調節機構）
３  土台部
３１  傾斜面
４  天板
Ｐ  吹き出し領域
Ｑ  吸い込み領域
【図１】
2005337684.tif 000003
【図２】
2005337684.tif 000004
【図３】
2005337684.tif 000005
【図４】
2005337684.tif 000006
【図５】
2005337684.tif 000007